(57)【特許請求の範囲】
【請求項１】
床面上に載置した上下方向を向く複数のパネルユニットの中の一部を透明パネルとし、これら複数のパネルユニットの上端部を、複数の横連結杆同士を平面視方形枠状に結合したフレームにおける前記複数の各横連結杆の下面に固着することにより、複数のパネルユニットにより囲まれた内部に部屋を形成し、前記透明パネルを有するパネルユニットの上端部を固着した前記横連結杆の少なくとも一側面に、長手方向を向くガイド溝を設け、このガイド溝に、前記透明パネルの一方の面を覆いうる大きさの不透明又は半透明の移動パネルを、透明パネルと重合しうるように長手方向に移動可能として吊支したことを特徴とする間仕切装置。
【請求項２】
移動パネルの上端部に、パネルと直交する水平軸回りに回転する複数のローラを設け、このローラをガイド溝に遊嵌した請求項１記載の間仕切装置。
【請求項３】
透明パネルの下端部に、移動パネルの下端部を案内するガイド部材を設けた請求項１または２記載の間仕切装置。
【発明の詳細な説明】
【０００１】
【発明の属する技術分野】
本発明は、オフィス等の室内空間を適当な大きさに仕切る、例えばローパーティション等の間仕切装置に関する。
【０００２】
【従来の技術】
オフィス内空間に、会議室や応接室等を形成する際には、天井から所定寸法離間させて設置されるローパーティションが用いられることが多い。
従来のローパーティションは、床面に複数の支柱を一定間隔おきに載置し、その間にパネルを取付けているのが殆どである。
【０００３】
【発明が解決しようとする課題】
上述のような支柱を用いたローパーティションでは、隣接する支柱間に１個のパネルしか取付けることができないため、例えば明り取り又は意匠等を考慮して、複数のパネルの中の一部のものを透明パネルとし、これを必要により目隠ししたい場合などに、別のパネルを移動可能に取付けることが困難であった。
【０００４】
本発明は、上記問題に鑑みてなされたもので、支柱を用いずに各パネルを強固に支持しうるとともに、透明パネルのいずれか一方の面に沿って移動可能なパネルを設けることにより、透明パネルを遮蔽したり開放したりしうるようにした間仕切装置を提供することを目的としている。
【０００５】
【課題を解決するための手段】
本発明によると、上記課題は、次のようにして解決される。
（１）床面上に載置した上下方向を向く複数のパネルユニットの中の一部を透明パネルとし、これら複数のパネルユニットの上端部を、複数の横連結杆同士を平面視方形枠状に結合したフレームにおける前記複数の各横連結杆の下面に固着することにより、複数のパネルユニットにより囲まれた内部に部屋を形成し、前記透明パネルを有するパネルユニットの上端部を固着した前記横連結杆の少なくとも一側面に、長手方向を向くガイド溝を設け、このガイド溝に、前記透明パネルの一方の面を覆いうる大きさの不透明又は半透明の移動パネルを、透明パネルと重合しうるように長手方向に移動可能として吊支する。
【０００６】
（２）上記(１)項において、移動パネルの上端部に、パネルと直交する水平軸回りに回転する複数のローラを設け、このローラをガイド溝に遊嵌する。
【０００７】
（３）上記(１)または(２)項において、透明パネルの下端部に、移動パネルの下端部を案内するガイド部材を設ける。
【０００８】
【発明の実施の形態】
以下、本発明の実施形態を、図面に基づいて説明する。
図１は、本発明を適用したローパーティションの一例を示すもので、矩形枠状をなす上部のフレーム(１)に、形状の異なる数種類のパネル群(２)の上端部を固着して形成されている。
【０００９】
上記フレーム(１)は、アルミニウム合金よりなる一定長さの横連結杆(３)の対向端とコーナ部とを、後記する手段により結合して閉鎖した矩形またはその他の形状の枠状に形成されている。
【００１０】
図２及び図３に示すように、横連結杆(３)の基体(3a)は縦長矩形状の閉じ断面、すなわち角筒状をなし、その上端両側縁には、先端に短寸の垂直片(3b)を有する倒立Ｌ字状の保持片(3c)(3c)が、長手方向全長に亘って対称的に連設されている。
【００１１】
また、上記基体(3a)の両側面の中央部には、互いに平行をなす上下１対ずつの水平片(3d)(3d)が連設され、両水平片(3d)間の開口部には、合成樹脂製のカバー(４)が、その上下の弾性係合片(4a)を上下の水平片(3d)の対向面に形成した係止片(3e)に係合させることにより、着脱可能として止着されている。
【００１２】
さらに、上記基体(3a)における下端両側縁には、方形断面をなす支持部(５)(５)が、基体(3a)の両側面よりも外方に位置するようにして下向きに対称的に連設され、両支持部(５)の対向面間の隙間は、後記するパネルユニット(15)の縦杆(16)の上端部と上部の横杆(17)との嵌合溝(６)となっている。
【００１３】
両支持部(５)の上端外側縁には、上向きのガイド片(5a)が連設され、このガイド片(5a)と支持部(５)の上片と基体(3a)の下部外側面との間の空間は、係止溝を兼ねるほぼＣ字状断面のガイド溝(７)となっている。
このような構成とした連結杆(３)は、基体(3a)が縦長矩形状の閉じ断面をなし、かつその両側面に、補強リブの作用を有する複数の外向き片を一体的に連設してあるので、曲げやねじれに対する強度が著しく大となっている。
【００１４】
なお、上記垂直片(3b)、上下の水平片(3d)、カバー(４)、及び支持部(５)とガイド片(5a)の外側面は、上下に整合させてある。
横連結杆(３)の対向端同士は、図２及び図３に示すようにして結合されている。まず一方の横連結杆(３)における基体(3a)の矩形孔内に、その開口端より、所要長さの角筒状の連結材(８)の一端部を、ほぼ半分の長さに亘って密に嵌合したのち、基体(3a)の両側面における上下の水平片(3d)の間より挿入した２個ずつのねじ(９)を、連結材(８)の両側面に予め穿設しておいためねじ孔(10)に螺合し、連結材(８)の一端部を一方の横連結杆(３)に固定する。
【００１５】
ついで、他方の横連結杆(３)における基体(3a)を、その開口端が一方の横連結杆(３)の開口端と当接するまで、上記連結材(８)の突出端部に嵌合したのち、上記と同様、横連結杆(３)の両側面より挿入した２個ずつのねじ(９)を連結材(８)のめねじ孔(10)に螺合する。
【００１６】
これにより、両横連結杆(３)同士は、強固に連結される。
なお、ねじ(９)の挿入に当たっては、カバー(４)を取外して行い、横連結杆(３)同士の結合後において、再度止着することにより、ねじ(９)が目隠しされる（図３参照）。
【００１７】
コーナー部においては、図４に示すように、２個の横連結杆(３)の開口端が直角またはその他の開き角をなすように互いの内方の端縁同士を当接させた状態で、基体(3a)の上面における両保持片(3b)間の凹溝(11)内に、平面視Ｌ字状等の取付金具(12)を嵌挿し、その固定片(12a)(12a)を２個ずつのねじ(９)をもって各横連結杆(３)の上面にそれぞれ固定することにより、強固に連結されている。
【００１８】
結合後において、両横連結杆(３)の開口端に形成される隙間には、コーナー用カバー(13)が止着される。
直線状の横連結杆(３)とその中間部に直交状に横架された横連結杆(３)同士は、図５に示すようにして結合されている。
【００１９】
すなわち、直線状の２本の横連結杆(３)の開口端同士を、横連結杆(３)の幅に相当する隙間分だけ離間させて対向させるとともに、それらの対向部と直交する横連結杆(３)の開口端を、上記隙間部に近接して臨ませたのち、Ｔ字状の取付金具(14)における直線状の固定片(14a)を、直線状をなす横連結杆(３)同士の上面の凹溝(11)に、同じく直交する方向を向く固定片(14b)を、横架された横連結杆(３)の凹溝(11)に、それぞれ嵌挿し、両固定片(14a)(14b)を複数のねじ(９)をもって各横連結杆(３)の上面に固定することにより結合されている。なお、上記結合部の隙間は、縦長角筒状のカバー(13)により体裁よく閉塞されている。
【００２０】
上述のようにして複数の横連結杆(３)同士を結合し、平面視方形枠状のフレーム(１)を形成すると、その曲げやねじれに対する強度は著しく高まる。
図１において、数種類のパネル群(２)の中の複数のパネルユニット(15)は、次のようにして横連結杆(３)に連結されている。
【００２１】
図１に示すように、フレーム(１)のコーナー部分にあたる床面上には、原則として、平面視において直角またはその他の任意の角度をもって交差するように連結された複数のパネル(15a)(15b)(15c)からなるＬ字状、Ｔ字状、十字状等の自立可能なパネルユニット(15)を載置し、各パネル(15a)(15b)の上端部に固着した横連結杆(３)同士を、順次互いに連結することにより、平面視において１個または連続する複数個の閉鎖した方形その他の形状の枠状のフレーム(１)を形成し、互いに離間したコーナー用のパネルユニット(15)の間の横連結杆(３)の中間部分に、他の平板状等のパネルユニット(15)の上端部を連結する。
【００２２】
図６〜図８に示すように、平板状の各パネルユニット(15)は、枠状フレームを形成している左右１対の縦杆(16)(16)と、その上端と下端部との対向面間に結合された横杆(７)(７)と、それらの前後の面（以下、ローパーティションの外側を前、室内側を後として説明する）を覆うようにして、縦杆(16)の複数の係止孔(18)に係着されたクロスパネル(19)(19)とからなっている。なお、パネルユニット(15)の厚さは、横連結杆(３)の幅とほぼ同等とされ、横連結杆(３)がパネルユニット(15)の前後の面より突出しないようにしてある。
【００２３】
縦杆(16)は、横連結杆(３)における支持部(５)(５)間の嵌合溝(６)内にがたなく嵌合しうる角筒状をなし、また横杆(17)は、嵌合溝(６)よりも小幅の縦長の矩形断面をなしている。
【００２４】
パネルユニット(15)を横連結杆(３)に取付けるには、前後のクロスパネル(19)を取外した状態で、図７に示すように、まず左右１対の下向コ字形をなすブラケット(20)の上片(20a)を、横連結杆(３)の底面である嵌合溝(６)内の奥面中央に、２本のボルト(21)をもって下方より取付ける。
【００２５】
ついで、図８に示すように、左右の縦杆(16)の上端部を横連結杆(３)の嵌合溝(６)に嵌合するとともに、上部の横杆(17)を、各ブラケット(20)の両垂下片(20b)間に嵌合したのち、両垂下片(20a)の外方より挿入した２本ずつのねじ(９)を横杆(17)に螺合する。
【００２６】
最後に、前後の化粧パネルであるクロスパネル(19)を、縦杆(16)の係止孔(18)に止着する。
なお、高さや水平度の調整は、パネルユニット(15)の下端のアジャスタ(22)により行うことができる。
【００２７】
このようにしてパネルユニット(15)の上端部を横連結杆(３)に取付けると、左右の縦杆(16)の上端部は、横連結杆(３)の嵌合溝(６)内に嵌合され、方形断面の剛性の高い両支持部(５)により保持されているため、特に、パネルの前後方向の支持強度が大となる。
【００２８】
図９は、図１における上記パネルユニット(15)とは形状の異なるパネルユニット(23)を、横連結杆(３)により支持する例を示している。
このパネルユニット(23)は、上記パネルユニット(15)のフレームよりも上下寸法を小とした枠状の主フレーム(24)と、その上端に取付けられる門型のアドオンフレーム(25)と、主フレーム(24)の前後面に取付けられる上下複数枚の化粧パネルである主パネル(26)（後面のパネルは図示略）と、アドオンフレーム(25)の前後面に取付けられる透明又は半透明のアドオンパネル(27)とからなっている。
【００２９】
主フレーム(24)は、左右１対の角筒状の縦杆(28)(28)における上下の対向面間に、横杆(29)(29)を結合して構成されている。
アドオンフレーム(25)は、上記縦杆(28)と同じ断面の角筒部(30a)の下端に、縦杆(28)内に嵌合可能な外向コ字状の挿入杆(30b)を有する左右１対の支柱(30)(30)と、その上端部の対向面同士を結合する角筒状の連結材(31)とからなり、両挿入杆(30b)におけるコ字空間内の奥面には、上下２個のナット(32)が溶接されている。
【００３０】
支柱(30)は、横連結杆(３)の下面の嵌合溝(６)内にがたなく嵌合しうる幅を有している。
パネルユニット(23)を横連結杆(３)に取付けるには、まず上記左右の挿入杆(30b)を左右の縦杆(28)内に、その上端に角筒部(30a)の下端が当接するまで嵌合し、縦杆(28)の内方より挿入した２本のボルト(33)を挿入部(30b)のナット(32)に螺合することにより、主フレーム(24)とアドオンフレーム(25)とを結合する。
【００３１】
ついで、上記図７及び図８に示すパネルユニット(15)の取付要領と同様に、まず２個のブラケット(20)(20)を、横連結杆(３)の下面にボルト(21)により固定したのち、左右の支柱(30)の上端を横連結杆(３)の下面の嵌合溝(６)内に嵌合するとともに、連結材(31)を各ブラケット(20)内に下方より嵌合し、その内面より挿入したねじ(９)をもって固定する。
【００３２】
最後に、縦杆(28)と支柱(30)との前後の面に形成した複数の係止孔(18)に、複数の主パネル(26)とアドオンパネル(27)を止着する。
【００３３】
このように、アドオンフレーム(25)を用いてパネルユニット(23)を横連結杆(３)に取付けると、アドオンフレーム(25)の上端部の形状を横連結杆(３)に取付可能な形状とし、支柱(30)の長さを変えたりするだけで、その下方の主パネル(26)の高さや形状等を意匠的に種々変更することができる。
【００３４】
すなわち、形状等の異なるパネルユニットを横連結杆(３)に直接取付けようとすると、上端の取付部の形状の違いなどにより、それに対応する横連結杆を複数用意しておく必要があり、不経済となる。
【００３５】
図１０は、図１における電子式ホワイトボード(34)の取付部の縦断面図を示すもので、横連結杆(３)の下端部には、前述したパネルユニット(15)と同形のパネルユニット(15)の上端部が、同じ取付要領で支持されている。
【００３６】
横連結杆(３)の後面、すなわちローパーティションの室内側の面における保持片(3c)と上方の水平片(3d)とには、ブラケット(35)が、垂直片(3b)と水平片(3d)の上向き突条(3f)間のほぼＣ字状断面をなす係止溝(3g)内においてそれらの内面に係止された挟持板(36)に、ブラケット(35)の内方より挿入したねじ(37)を螺合することにより固定されている。
【００３７】
ブラケット(35)には、内部に蛍光管(38)を有する照明器具(39)が取付けられている。
なお、照明器具(39)までの電気配線は、横連結杆(３)の上面の凹溝(11)内に収容して、体裁良く配線することができる。
【００３８】
(40)は、上記ホワイトボード(34)支持用の縦長枠状の支持フレームで、その上端部の方形断面をなす横杆(41)の両端部上面には、ローラ支持具(42)が固着され、両ローラ支持具(42)には、前方の突出端部に回転自在なローラ(43)が枢着された支軸(44)が、前後方向を向いて固定されている。
【００３９】
ホワイトボード(34)が支持された支持フレーム(40)は、上記左右のローラ(43)を、横連結杆(３)における後面側のガイド溝(７)内に転動可能に遊嵌して吊支することにより、横連結杆(３)の長手方向に移動しうるようになっている。
【００４０】
なお、定位置でホワイトボード(34)を使用する際は、支持フレーム(40)の左右の縦杆(45)の下端のアジャスタ(46)を回動して接床させればよい（図１参照）。
【００４１】
このように、横連結杆(３)の前後面の上下部に、Ｃ字状断面の係止溝(3g)やガイド溝(７)が形成されていると、その一方の面に上記照明器具(39)やホワイトボード支持用の支持フレーム(40)等を、他方の面に他のパネルや備品取付用のフレーム等を、それぞれ上下２段に、かつ互いに干渉させることなく並べて支持することができる。
【００４２】
また、枠状に結合されたフレーム(１)は、剛性が高いので、重量のある電子式ホワイトボード(34)等を支持しても強度的に何ら問題となることはない。
【００４３】
なお、上述のような支持フレーム(40)の上端部を、横連結杆(３)のガイド溝(７)に移動不能として取付け、この支持フレーム(40)に、例えば、図１に示すような平面ディスプレイ装置(47)や通常のホワイトボード(48)等を支持するようにしてもよい。
【００４４】
図１において、ローパーティション内への出入口(Ｅ)として開放されている一側方の横連結杆(３)と、中間部に横架された横連結杆(３)とには、それぞれ遮蔽パネル(49)と巻き取り式のロールスクリーン(50)が取付けられている。
【００４５】
遮蔽パネル(49)は、上記図１０に示すのと同様に、その上端部に取付けた１対のローラ（図示略）を、横連結杆(３)の前面側のガイド溝(７)により吊支することにより、長手方向に移動可能となっており、また下端のアジャスタ(51)を回動して床面に圧接させることにより、任意の位置で固定することができる。
【００４６】
ロールスクリーン(50)も、図１０に示す照明器具(39)と同じ取付要領で横連結杆(３)の係止溝(3g)に固定されている。
(52)は、遮蔽パネル(49)の反対側の横連結杆(３)の係止溝(3g)に取付けられた照明器具である。
【００４７】
このように、ローパーティションの出入口(Ｅ)に、その一部を塞ぐ遮蔽パネル(49)を設けておくと、内部が一部目隠しされるので、開放感を得るために出入口(Ｅ)を大きく開放しておくことができる。
また、ローパーティション内の使用目的や什器等の搬出入時等において遮蔽パネル(49)の位置を変えうる利点もある。
【００４８】
中間部の横連結杆(３)に、ロールスクリーン(50)を取付けておくと、ローパーティション内を２室に簡易的に仕切ったり、巻き上げることにより１つの大きな室内空間として使用することができる。
なお、ロールスクリーン(50)も、横連結杆(３)のガイド溝(７)にローラ等を介して移動可能に取付けてもよい。
【００４９】
上記のような遮蔽パネル(49)をローパーティションの出入口に単独で自立させたり、ロールスクリーン(50)をローパーティションの中間部に取付けうるのは、上部に枠状をなすフレーム(１)を有しているからである。
すなわち、複数の支柱を立設して、その間にパネルユニットを立て込んで形成される従来のローパーティションにおいては、上記のようなフレーム(１)がないため、上記遮蔽パネル(49)やロールスクリーン(50)の代わりに、ベース脚を有する衝立て等を出入口に設置しなければならず、体裁が損なわれる。
【００５０】
なお、上記遮蔽パネル(49)及びロールスクリーン(50)は、横連結杆(３)の反対側の面に取付けてもよいことは勿論である。
図１１は、図１のXI−XI線の縦断面図を示すもので、パネル群(２)の中の一部のものを透明なパネルユニット(53)とするとともに、その室内側の面を、パネルユニット(53)と同じ大きさ又は若干大とした移動パネル(54)により覆ったり、開放したりしうるようにしてある。
【００５１】
上記パネルユニット(53)は、図６に示すパネルユニット(15)と同様の枠状フレームにおける１対の縦杆(55)の上端に結合した横杆(56)を、図７に示すのと同様のブラケット(57)をもって、横連結杆(３)の下面の嵌合溝(６)に固定したのち、前後の面における下端部の不透明パネル(58)を除いた全面に、ガラス又はプラスチックよりなる上下複数枚の透明パネル(59)を止着して構成されている。
【００５２】
移動パネル(54)は、クロス又は木製の不透明のパネル、もしくは半透明のパネルよりなり、その上端の枠材(60)の両側部に結合された支持部材(61)には、端部に回転自在なローラ(62)を備える１対の支軸(63)が固着されている。
【００５３】
移動パネル(54)は、上記各ローラ(62)を横連結杆(３)における後面側（室内側）のガイド溝(７)に嵌挿することにより、パネルユニット(53)の内面と近接して、横連結杆(３)の長手方向に移動可能として吊支されている。
【００５４】
移動パネル(54)の下端の枠材(60)における下向きのコ状溝は、パネルユニット(53)の内方の不透明パネル(58)の下端に固着された逆Ｌ字状のガイド部材(64)に上方より遊嵌されている。これにより、移動パネル(54)は、その厚さ方向に横振れすることなく、円滑に移動させることができる。
【００５５】
このように、透明としたパネルユニット(53)の室内側に、不透明又は半透明の移動パネル(54)を設けておくと、外部よりローパーティション内を見られたくないときなどには、パネルユニット(53)に移動パネル(54)を重合させて目隠しすることができ、また、外部から明り取りをしたり、閉塞感を緩和したりする際などには、移動パネル(54)をスライドさせてパネルユニット(53)のパネル面を開放することができる。
【００５６】
なお、移動パネル(54)は、その操作上、横連結杆(３)の室内側の面に吊支するのが好ましいが、場合によっては、横連結杆(３)の外面に吊支することもある。
【００５７】
移動パネル(54)は、障子状のパネルとしてもよい。
本発明は、上記実施形態に限定されるものではない。
上記実施形態において、フレーム(１)は、方形枠状のフレームを２個連続させた形状としてあるが、１個又は２個以上連続させてもよい。２個以上連続させる際には、フレーム(１)の強度が低下するのを防止するために、直線的に長く連続させるのでなく、平面視Ｌ字形又は田の字形に連続するのがよい。
【００５８】
ローパーティションの出入口(Ｅ)や中間部に横架した横連結杆(３)に、片開き又は両開き型の引戸を吊支することもある。
【００５９】
【発明の効果】
請求項１記載の発明によれば、従来の支柱を用いることなく、各パネルユニットを横連結杆により強固に支持しうるとともに、複数のパネルユニットの中の一部のものを透明パネルとしたことにより、外部よりの明り取りやローパーティション等の体裁を向上させることができ、かつローパーティション等の内部を見られたくないようなときには、移動パネルを移動させて透明パネルを遮蔽することができる。
【００６０】
請求項２記載の発明によれば、移動パネルを円滑かつ静粛に移動させることができる。
【００６１】
請求項３記載の発明によれば、移動パネルを、その厚さ方向にがた付かせることなく安定的に移動させうる。
【図面の簡単な説明】
【図１】本発明を適用したローパーティションの一例を示す斜視図である。
【図２】同じく、横連結杆同士の直線部の結合要領を示す斜視図である。
【図３】図２におけるIII−III線の縦断面図である。
【図４】コーナー部における横連結杆同士の結合要領を示す斜視図である。
【図５】直線部と交差する横連結杆同士の結合要領を示す平面図である。
【図６】パネルユニットの横連結杆への取付例を示す一部切欠正面図である。
【図７】図６のVII−VII線の拡大縦断側面図である。
【図８】同じく、VIII−VIII線の拡大縦断側面図である。
【図９】アドオンフレームを備えるパネルユニットの横連結杆への取付例を示す分解斜視図である。
【図１０】図１におけるＸ−Ｘ線の要部の拡大縦断側面図である。
【図１１】同じく、図１のXI−XI線の拡大縦断側面図である。
【符号の説明】
(１)フレーム
(２)パネル群
(３)横連結杆
(3a)基体
(3b)垂直片
(3c)保持片
(3d)水平片
(3e)係止片
(3f)突条
(3g)係止溝
(４)カバー
(4a)係合片
(５)支持部
(5a)ガイド片
(６)嵌合溝
(７)ガイド溝
(８)連結材
(９)ねじ
(10)めねじ孔
(11)凹溝
(12)取付金具
(12a)固定片
(13)カバー
(14)取付金具
(14a)(14b)固定片
(15)パネルユニット
(15a)(15b)(15c)パネル
(16)縦杆
(17)横杆
(18)係止孔
(19)クロスパネル
(20)ブラケット
(20a)上片
(20b)垂下片
(21)ボルト
(22)アジャスタ
(23)パネルユニット
(24)主フレーム
(25)アドオンフレーム
(26)主パネル
(27)アドオンパネル
(28)縦杆
(29)横杆
(30)支柱
(30a)角筒部
(30b)挿入杆
(31)連結材
(32)ナット
(33)ボルト
(34)ホワイトボード
(35)ブラケット
(36)挟持板
(37)ねじ
(38)蛍光管
(39)照明器具
(40)支持フレーム
(41)横杆
(42)ローラ支持具
(43)ローラ
(44)支軸
(45)縦杆
(46)アジャスタ
(47)ディスプレイ装置
(48)ホワイトボード
(49)遮蔽パネル
(50)ロールスクリーン
(51)アジャスタ
(52)照明器具
(53)パネルユニット
(54)移動パネル
(55)縦杆
(56)横杆
(57)ブラケット
(58)不透明パネル
(59)透明パネル
(60)枠材
(61)支持部材
(62)ローラ
(63)支軸
(64)ガイド部材
(Ｅ)出入口
【図１】
0004750264.tif 000002
【図２】
0004750264.tif 000003
【図３】
0004750264.tif 000004
【図４】
0004750264.tif 000005
【図５】
0004750264.tif 000006
【図６】
0004750264.tif 000007
【図７】
0004750264.tif 000008
【図８】
0004750264.tif 000009
【図９】
0004750264.tif 000010
【図１０】
0004750264.tif 000011
【図１１】
0004750264.tif 000012